(57)【要約】【課題】ユーザが入力したキー操作が禁止操作となるときにも、ユーザが望む動作を簡単な操作でもって行わせる。【解決手段】入力されたキー操作が禁止操作情報において禁止操作となるときには、前記入力された操作が求める動作に連なる代替動作が得られる代替キー操作を用いるかどうかをユーザに選択させる代替操作メッセージを表示し（Ｓ８）、代替キー操作を用いることをユーザが選択するときには、禁止操作情報が禁止操作としていないキー操作からなり且つ代替動作が得られるキー操作である代替キー操作がユーザにより入力されたと見なして、代替キー操作に対応する動作の制御を行う（Ｓ１０，Ｓ１４）。【選択図】  図１
2005327346.tif 000002
【特許請求の範囲】
【請求項１】
映像信号が記録されるとともに、入力されたキー操作を禁止操作とするかどうかを示す情報である禁止操作情報が記録されたＤＶＤの再生を行う映像信号再生装置において、
入力されたキー操作が禁止操作情報において禁止操作となるときには、前記入力された操作が求める動作に連なる動作である代替動作が得られる代替キー操作を用いるかどうかをユーザに選択させる代替操作メッセージを表示し、代替キー操作を用いることをユーザが選択するときには、禁止操作情報が禁止操作としていないキー操作からなり且つ代替動作が得られるキー操作である代替キー操作がユーザにより入力されたと見なして、代替キー操作に対応する動作の制御を行う制御手段を備え、
制御手段は、禁止操作情報において禁止操作となるキー操作のうちの任意の１つのキー操作が、その他のキー操作を挟むことなく、所定回数を超えて繰り返し入力されたときに代替操作メッセージを表示し、
且つ、キー操作が入力されたときには、入力されたキー操作に対応するデータをキー入力用バッファに格納した後、キー入力用バッファに格納されたデータに対応する動作の制御を行うとともに、代替キー操作を用いることをユーザが選択したときには、代替キー操作に対応するデータをキー入力バッファに格納した後、キー入力バッファに格納されたデータに対応する動作の制御を行い、
且つ、代替操作メッセージを表示するとき、画面の動きの一時停止が可能である場合には画面の動きを一時停止させ、
且つ、代替キー操作がない場合であって、禁止操作情報において禁止操作となるキー操作のうちの任意の１つのキー操作が、その他のキー操作を挟むことなく、所定回数を超えて繰り返し入力されたときには、入力されたキー操作が禁止された操作であることを示すメッセージを文字を用いて表示することを特徴とする映像信号再生装置。
【請求項２】
映像信号が記録されるとともに、入力されたキー操作を禁止操作とするかどうかを示す情報である禁止操作情報が記録された記録媒体の再生を行う映像信号再生装置において、
入力されたキー操作が禁止操作情報において禁止操作となるときには、前記入力された操作が求める動作に連なる動作である代替動作が得られる代替キー操作を用いるかどうかをユーザに選択させる代替操作メッセージを表示し、代替キー操作を用いることをユーザが選択するときには、禁止操作情報が禁止操作としていないキー操作からなり且つ代替動作が得られるキー操作である代替キー操作がユーザにより入力されたと見なして、代替キー操作に対応する動作の制御を行う制御手段を備えたことを特徴とする映像信号再生装置。
【請求項３】
制御手段は、禁止操作情報において禁止操作となるキー操作のうちの任意の１つのキー操作が、その他のキー操作を挟むことなく、所定回数を超えて繰り返し入力されたときに代替操作メッセージを表示することを特徴とする請求項２記載の映像信号再生装置。
【請求項４】
制御手段は、キー操作が入力されたときには、入力されたキー操作に対応するデータをキー入力用バッファに格納した後、キー入力用バッファに格納されたデータに対応する動作の制御を行うとともに、代替キー操作を用いることをユーザが選択したときには、代替キー操作に対応するデータをキー入力バッファに格納した後、キー入力バッファに格納されたデータに対応する動作の制御を行うことを特徴とする請求項２または請求項３記載の映像信号再生装置。
【請求項５】
制御手段は、代替操作メッセージを表示するとき、画面の動きの一時停止が可能である場合には、画面の動きを一時停止させることを特徴とする請求項２から請求項４までのいずれかに記載の映像信号再生装置。
【請求項６】
映像信号が記録されるとともに、入力されたキー操作を禁止操作とするかどうかを示す情報である禁止操作情報が記録された記録媒体の再生を行う映像信号再生装置において、
入力されたキー操作が禁止操作情報において禁止操作となるときには、禁止操作情報が禁止操作としていないキー操作を用いて、前記入力された操作が求める動作に連なる動作である代替動作が得られるキー操作の方法である代替キー操作方法を表示する制御手段を備えたことを特徴とする映像信号再生装置。
【請求項７】
制御手段は、禁止操作情報において禁止操作となるキー操作のうちの任意の１つのキー操作が、その他のキー操作を挟むことなく、所定回数を超えて繰り返し入力されたときに代替キー操作方法を表示することを特徴とする請求項６記載の映像信号再生装置。
【請求項８】
代替キー操作方法を表示するとき、画面の動きの一時停止が可能である場合には、画面の動きを一時停止させることを特徴とする請求項６または請求項７記載の映像信号再生装置。
【発明の詳細な説明】
【技術分野】
【０００１】
本発明は、映像信号が記録されるとともに、入力されたキー操作を禁止操作とするかどうかを示す禁止操作情報が記録された記録媒体の再生を行う映像信号再生装置に関するものである。
【背景技術】
【０００２】
種々の映像信号が記録されたＤＶＤにあっては、ある場面を再生しているときに、制作者の側から見て、使用して欲しくないキー操作がある場合、そのキー操作を禁止することができるようになっている。従って、禁止されるキー操作は、ＤＶＤによって異なることになる。さらには、同じＤＶＤであっても、再生している場面が異なると、禁止されるキー操作が異なる場合もある。従って、ユーザにとっては、入力しようとするキー操作が禁止されているかどうかは不明の場合が多い。このため、以下に示す技術が提案されている（第１の従来技術とする）。すなわち、この技術では、操作禁止を示す副映像がＤＶＤに記録されている場合、禁止されたキー操作が入力されたとき、この副映像を表示することによって、入力されたキー操作が禁止であることを示すようになっている。また、副映像が記録されていないときには、オンスクリーン表示を用いて、操作禁止の警告文を表示するようになっている（例えば、特許文献１参照）。
【０００３】
また、以下に示す技術が提案されている（第２の従来技術とする）。すなわち、この技術では、リモートコントローラのキースイッチのそれぞれに点灯手段を設け、ＤＶＤを再生している場合等において、操作が禁止されていないキースイッチを点灯させ、操作が禁止となっているキースイッチを消灯状態とすることによって、操作が禁止されているキースイッチが不要に操作されることを防止している。また、操作が可能なキースイッチのみが目立っているリモコンのアイコンをオンスクリーン表示することによって、操作が禁止されているキースイッチが不要に操作されることを防止している（例えば、特許文献２参照）。
【特許文献１】特開平１１−４１５６３号公報（第０７６３−０７６４段落）
【特許文献２】特開平１１−２３８３６７号公報（第０５４０段落、第０５４３−０５４５段落）
【発明の開示】
【発明が解決しようとする課題】
【０００４】
しかしながら上記従来技術を用いる場合には、以下に示す問題を生じていた。すなわち再生途中において、次のチャプタに飛ばして再生させたいため、スキップキーを操作した場合、このキー操作が操作禁止になっているとすると、第１の従来技術では、ＤＶＤに記録された副映像によって操作が禁止されていることが示されたり、あるいは、警告文によって操作が禁止されていることが示されるに過ぎない。このため、ユーザは、次のチャプタに飛ばして再生させることを取りやめる、という不便さを我慢するしかなかった。
【０００５】
一方、第２の従来技術を用いる場合では、キー操作を行う以前に、スキップキーの操作が禁止されていることが判明するので、不要にスキップキーを操作することは防止されるが、この場合であっても、次のチャプタに飛ばして再生させることを取りやめる、という不便さを強要されることになる。
【０００６】
本発明は、上記の問題点を解決するため創案されたものであり、その目的は、入力されたキー操作が禁止操作となるときには、入力された操作が求める動作に連なる代替動作が得られるキー操作を用いるかどうかをユーザに選択させる代替操作メッセージを表示し、代替キー操作を用いることをユーザが選択するときには、代替キー操作に対応する動作を実行することにより、ユーザが入力したキー操作が禁止操作となるときにも、ユーザが望む動作を簡単な操作でもって行わせることのでき、且つ、代替操作メッセージの表示が煩わしいものとなることを防止することのでき、且つ、代替キー操作を実行させるために追加するソフトウエアの量の増加を抑制することのでき、且つ、代替操作メッセージの表示がタイトルの再生を楽しむ妨害となることを防止することのでき、且つ、入力されたキー操作が禁止操作であることを、よりユーザに印象付けることのできる映像信号再生装置を提供することにある。
【０００７】
また本発明の目的は、入力されたキー操作が禁止操作となるときには、入力された操作が求める動作に連なる代替動作が得られるキー操作を用いるかどうかをユーザに選択させる代替操作メッセージを表示し、代替キー操作を用いることをユーザが選択するときには、代替キー操作に対応する動作を実行することにより、ユーザが入力したキー操作が禁止操作となるときにも、ユーザが望む動作を簡単な操作でもって行わせることのできる映像信号再生装置を提供することにある。
【０００８】
また上記目的に加え、禁止操作となるキー操作が所定回数を超えて繰り返し入力されたときに代替操作メッセージを表示することにより、代替操作メッセージの表示が煩わしいものとなることを防止することのできる映像信号再生装置を提供することにある。
【０００９】
また上記目的に加え、代替キー操作を用いることをユーザが求めるときには、代替キー操作に対応するデータをキー入力バッファに格納した後、キー入力バッファに格納されたデータに対応する動作を実行することにより、代替キー操作を実行させるために追加するソフトウエアの量の増加を抑制することのできる映像信号再生装置を提供することにある。
【００１０】
また上記目的に加え、画面の動きの一時停止が可能である場合には、画面の動きを一時停止させることにより、代替操作メッセージの表示がタイトルの再生を楽しむ妨害となることを防止することのできる映像信号再生装置を提供することにある。
【００１１】
また本発明の目的は、入力されたキー操作が禁止操作となるときには、入力された操作が求める動作に連なる代替動作が得られる代替キー操作方法を表示することにより、ユーザが入力したキー操作が禁止操作となるときにも、ユーザが望む動作を行わせるためのキー操作の方法を知らせることのできる映像信号再生装置を提供することにある。
【００１２】
また上記目的に加え、禁止操作となるキー操作が所定回数を超えて繰り返し入力されたときに代替キー操作方法を表示することにより、代替キー操作方法の表示が煩わしいものとなることを防止することのできる映像信号再生装置を提供することにある。
【００１３】
また上記目的に加え、画面の動きの一時停止が可能である場合には、画面の動きを一時停止させることにより、代替キー操作方法の表示がタイトルの再生を楽しむ妨害となることを防止することのできる映像信号再生装置を提供することにある。
【課題を解決するための手段】
【００１４】
上記の課題を解決するため、本発明に係る映像信号再生装置は、映像信号が記録されるとともに、入力されたキー操作を禁止操作とするかどうかを示す情報である禁止操作情報が記録されたＤＶＤの再生を行う映像信号再生装置に適用しており、入力されたキー操作が禁止操作情報において禁止操作となるときには、前記入力された操作が求める動作に連なる動作である代替動作が得られる代替キー操作を用いるかどうかをユーザに選択させる代替操作メッセージを表示し、代替キー操作を用いることをユーザが選択するときには、禁止操作情報が禁止操作としていないキー操作からなり且つ代替動作が得られるキー操作である代替キー操作がユーザにより入力されたと見なして、代替キー操作に対応する動作の制御を行う制御手段を備え、制御手段は、禁止操作情報において禁止操作となるキー操作のうちの任意の１つのキー操作が、その他のキー操作を挟むことなく、所定回数を超えて繰り返し入力されたときに代替操作メッセージを表示し、且つ、キー操作が入力されたときには、入力されたキー操作に対応するデータをキー入力用バッファに格納した後、キー入力用バッファに格納されたデータに対応する動作の制御を行うとともに、代替キー操作を用いることをユーザが選択したときには、代替キー操作に対応するデータをキー入力バッファに格納した後、キー入力バッファに格納されたデータに対応する動作の制御を行い、且つ、代替操作メッセージを表示するとき、画面の動きの一時停止が可能である場合には画面の動きを一時停止させ、且つ、代替キー操作がない場合であって、禁止操作情報において禁止操作となるキー操作のうちの任意の１つのキー操作が、その他のキー操作を挟むことなく、所定回数を超えて繰り返し入力されたときには、入力されたキー操作が禁止された操作であることを示すメッセージを文字を用いて表示するようになっている。
【００１５】
すなわち、制御手段は、代替キー操作を用いることをユーザが選択するときには、代替キー操作がユーザにより入力されたと見なして、代替キー操作に対応する動作の制御を行う。従って、ユーザから見る場合では、代替キー操作を選択することを示す操作を行うのみで、求める動作に連なる動作が行われることになる。且つ、禁止操作となっているキー操作を、禁止操作と知ることなく入力する回数は、所定回数を超えることがないので、禁止操作となっているキー操作を、禁止操作と知ることなく入力した場合では、代替操作メッセージは表示されない。且つ、代替キー操作に対応するデータをキー入力用バッファに格納した後の制御手段の動作は、通常のキー操作に対応するデータがキー入力用バッファに格納された後の動作と同一となる。且つ、代替操作メッセージの表示が終了したとき、代替操作メッセージの表示の開始直前の映像の続きを画面に表示させることができる。且つ、禁止操作となっているキー操作を繰り返して入力するときでは、禁止操作であることが、より注意を引く形で示される。
【００１６】
また本発明に係る映像信号再生装置は、映像信号が記録されるとともに、入力されたキー操作を禁止操作とするかどうかを示す情報である禁止操作情報が記録された記録媒体の再生を行う映像信号再生装置に適用しており、入力されたキー操作が禁止操作情報において禁止操作となるときには、前記入力された操作が求める動作に連なる動作である代替動作が得られる代替キー操作を用いるかどうかをユーザに選択させる代替操作メッセージを表示し、代替キー操作を用いることをユーザが選択するときには、禁止操作情報が禁止操作としていないキー操作からなり且つ代替動作が得られるキー操作である代替キー操作がユーザにより入力されたと見なして、代替キー操作に対応する動作の制御を行う制御手段を備えている。
【００１７】
すなわち、制御手段は、代替キー操作を用いることをユーザが選択するときには、代替キー操作がユーザにより入力されたと見なして、代替キー操作に対応する動作の制御を行う。従って、ユーザから見る場合では、代替キー操作を選択することを示す操作を行うのみで、求める動作に連なる動作が行われることになる。
【００１８】
また、上記構成に加え、制御手段は、禁止操作情報において禁止操作となるキー操作のうちの任意の１つのキー操作が、その他のキー操作を挟むことなく、所定回数を超えて繰り返し入力されたときに、代替操作メッセージを表示する。すなわち、禁止操作となっているキー操作を、禁止操作と知ることなく入力する回数は、所定回数を超えることがないので、禁止操作となっているキー操作を、禁止操作と知ることなく入力した場合では、代替操作メッセージは表示されない。
【００１９】
また、上記構成に加え、制御手段は、キー操作が入力されたときには、入力されたキー操作に対応するデータをキー入力用バッファに格納した後、キー入力用バッファに格納されたデータに対応する動作の制御を行うとともに、代替キー操作を用いることをユーザが選択したときには、代替キー操作に対応するデータをキー入力バッファに格納した後、キー入力バッファに格納されたデータに対応する動作の制御を行う。すなわち、代替キー操作に対応するデータをキー入力用バッファに格納した後の制御手段の動作は、通常のキー操作に対応するデータがキー入力用バッファに格納された後の動作と同一となる。
【００２０】
また、上記構成に加え、制御手段は、代替操作メッセージを表示するとき、画面の動きの一時停止が可能である場合には、画面の動きを一時停止させる。すなわち、代替操作メッセージの表示が終了したとき、代替操作メッセージの表示の開始直前の映像の続きを画面に表示させることができる。
【００２１】
また本発明に係る映像信号再生装置は、映像信号が記録されるとともに、入力されたキー操作を禁止操作とするかどうかを示す情報である禁止操作情報が記録された記録媒体の再生を行う映像信号再生装置に適用しており、入力されたキー操作が禁止操作情報において禁止操作となるときには、禁止操作情報が禁止操作としていないキー操作を用いて、前記入力された操作が求める動作に連なる動作である代替動作が得られるキー操作の方法である代替キー操作方法を表示する制御手段を備えている。
【００２２】
すなわち、入力したキー操作が禁止操作であるときには、求める動作に連なる動作を行わせるためのキー操作の方法が表示される。
【００２３】
また、上記構成に加え、制御手段は、禁止操作情報において禁止操作となるキー操作のうちの任意の１つのキー操作が、その他のキー操作を挟むことなく、所定回数を超えて繰り返し入力されたときに、代替キー操作方法を表示する。すなわち、禁止操作となっているキー操作を、禁止操作と知ることなく入力する回数は、所定回数を超えることがないので、禁止操作となっているキー操作を、禁止操作と知ることなく入力した場合では、代替キー操作方法は表示されない。
【００２４】
また、上記構成に加え、制御手段は、  代替キー操作方法を表示するとき、画面の動きの一時停止が可能である場合には、画面の動きを一時停止させる。すなわち、代替キー操作方法の表示が終了したとき、代替キー操作方法の表示の開始直前の映像の続きを画面に表示させることができる。
【発明の効果】
【００２５】
本発明によれば、代替キー操作を用いることをユーザが選択するときには、代替キー操作がユーザにより入力されたと見なして、代替キー操作に対応する動作を行う。従って、ユーザから見る場合では、代替キー操作を選択することを示す操作を行うのみで、求める動作に連なる動作が行われる。且つ、禁止操作となっているキー操作を、禁止操作と知ることなく入力した場合では、代替操作メッセージは表示されない。且つ、代替キー操作に対応するデータをキー入力用バッファに格納した後の動作は、通常のキー操作に対応するデータがキー入力用バッファに格納された後の動作と同一となる。且つ、代替操作メッセージの表示が終了したとき、代替操作メッセージの表示の開始直前の映像の続きを画面に表示させることができる。且つ、禁止操作となっているキー操作を繰り返して入力するときでは、禁止操作であることが、より注意を引く形で示される。このため、ユーザが入力したキー操作が禁止操作となるときにも、ユーザが望む動作を簡単な操作でもって行わせることができ、且つ、代替操作メッセージの表示が煩わしいものとなることを防止することができ、且つ、代替キー操作を実行させるために追加するソフトウエアの量の増加を抑制することができ、且つ、代替操作メッセージの表示がタイトルの再生を楽しむ妨害となることを防止することができ、且つ、入力されたキー操作が禁止操作であることを、よりユーザに印象付けることができる。
【００２６】
また本発明によれば、代替キー操作を選択することを示す操作を行うのみで、求める動作に連なる動作が行われる。このため、ユーザが入力したキー操作が禁止操作となるときにも、ユーザが望む動作を簡単な操作でもって行わせることがことができる。
【００２７】
また、さらに、禁止操作となっているキー操作を、禁止操作と知ることなく入力した場合では、代替操作メッセージは表示されないので、代替操作メッセージの表示が煩わしいものとなることを防止することができる。
【００２８】
また、さらに、代替キー操作に対応するデータをキー入力用バッファに格納した後の制御手段の動作は、通常のキー操作に対応するデータがキー入力用バッファに格納された後の動作と同一となるので、代替キー操作を実行させるために追加するソフトウエアの量の増加を抑制することができる。
【００２９】
また、さらに、代替操作メッセージの表示が終了したとき、代替操作メッセージの表示の開始直前の映像の続きを画面に表示させることができるので、代替操作メッセージの表示がタイトルの再生を楽しむ妨害となることを防止することができる。
【００３０】
また本発明によれば、入力したキー操作が禁止操作であるときには、ユーザが求める動作に連なる動作を行わせるためのキー操作の方法が表示されるので、ユーザが入力したキー操作が禁止操作となるときにも、ユーザが望む動作を行わせるためのキー操作の方法を知らせることができる。
【００３１】
また、さらに、禁止操作となっているキー操作を、禁止操作と知ることなく入力した場合では、代替キー操作方法は表示されないので、代替キー操作方法の表示が煩わしいものとなることを防止することができる。
【００３２】
また、さらに、代替キー操作方法の表示が終了したとき、代替キー操作方法の表示の開始直前の映像の続きを画面に表示させることができるので、代替キー操作方法の表示がタイトルの再生を楽しむ妨害となることを防止することができる。
【発明を実施するための最良の形態】
【００３３】
以下、本発明の実施の形態について図を参照して説明する。
【実施例１】
【００３４】
図２は、本発明に係る映像信号再生装置の第１の実施形態の電気的構成を示すブロック線図であり、詳細には、ＤＶＤ再生装置を示している。
【００３５】
図において、ＤＶＤ１は、請求項記載の記録媒体となっており、映像信号が記録されている。また、ＤＶＤ１に記録された画像や情報の表示を行っているときに、操作が禁止となるキー操作に関する情報（請求項記載の禁止操作情報であり、ユーザによる操作の可否を示す情報）が、ユーザ操作ビット群の形で記録されている。
【００３６】
ピックアップ３は、ＣＬＶとなるように、スピンドルモータ２によって回転駆動されるＤＶＤ１からデータを読み取る。そして、読み取ったデータを示す信号を信号処理手段４に出力する。信号処理手段４は、ピックアップ３より出力される信号からデジタルデータを取り出した後、復号化を行う。そして、復号化したデータを、エラー訂正を行った後に、デコード手段５に出力する。また、エラー訂正後のデータより分離した禁止操作情報（ユーザ操作ビット群）を制御手段６に出力する。
【００３７】
デコード手段５は、信号処理手段４から出力されるデータストリームのうち、映像信号を示すストリームについては、ＭＰＥＧ２方式で伸長した後、アナログ映像信号に変換してテレビ受像機１５に出力する。また、信号処理手段４から出力されるデータストリームのうち、音声信号を示すストリームについては、図示されない音声信号デコーダを用いて伸長した後、アナログ音声信号に変換してテレビ受像機１５に出力する。また、オンスクリーンディスプレイ回路（図示を省略）を用いることにより、制御手段６が指示する文字や記号、および、副画像等を示す信号を生成して、映像信号に重畳する。
【００３８】
入力手段７は、装置本体の前面パネルに設けられた複数のキースイッチ（図示を省略）や、リモートコントローラ（以下では、単にリモコンと称する）８から送信される赤外線信号を受光する受光ユニット（図示を省略）等を備えており、ユーザによってキー操作が入力されたときには、入力されたキー操作に対応する信号を制御手段６に送出する。
【００３９】
制御手段６は、マイクロコンピュータを主要部として構成されており、ＤＶＤ再生装置としての主要動作を制御する。すなわち、リモコン８に入力されたユーザのキー操作が、例えば、再生を示すときには、ＤＶＤ１を再生して得られた映像信号がテレビ受像機１５において表示されるように、信号処理手段４とデコード手段５との動作を制御する。また、ＤＶＤ１の再生中において、リモコン８のスキップキー（図示を省略）が操作されたときには、スキップキーの操作が禁止操作でない場合、再生位置を、現在再生中のチャプタから、次のチャプタの先頭位置に移動させる（次のチャプタの先頭から再生を行わせるための制御を行う）。
【００４０】
また、制御手段６は、信号処理手段４からユーザ操作ビット群が出力される毎に、どのキー操作が禁止操作となっているのかを示す情報である禁止操作情報を取り出して内部に記憶する。そして、ユーザがリモコン８等にキー操作を入力した場合、入力されたキー操作が、禁止操作情報において禁止操作となるときには、代替キー操作があるかどうかを調べる。
【００４１】
ここで、代替キー操作について説明すると、代替キー操作は、禁止操作情報において禁止操作となっていないキー操作によって構成されており、ユーザが入力したキー操作が求める動作に連なる動作が得られるキー操作（２つ以上のキー操作の組み合わせとなることが多い）となっている（この代替キー操作については、後に詳述する）。
【００４２】
制御手段６の構成の説明に戻ると、制御手段６は、代替キー操作があることが判明した場合、代替キー操作を用いるかどうかをユーザに選択させるためのメッセージである代替操作メッセージをテレビ受像機１５に表示させる。そして、ユーザが代替キー操作を用いることを選択したときには、キー入力用バッファ１１の状態を、代替キー操作が実際にリモコン８に入力されたときの状態に等しくする。すなわち、代替キー操作が、実際にはリモコン８に入力されていないにもかかわらず、代替キー操作がリモコン８に入力されたと見なして、代替キー操作に対応するデータをキー入力用バッファ１１に格納する。そして後、キー入力用バッファ１１に格納されたデータに対応する動作を実行するための制御を行う。
【００４３】
なお、代替操作メッセージについては、禁止操作情報において禁止操作となるキー操作のうちの任意の１つのキー操作が、その他のキー操作を挟むことなく、予め設定された時間内（例えば、１０秒以内）に、所定回数（例えば、３回）を超えて、繰り返し入力されたとき（この条件を、以下では、メッセージ表示条件と称する）、表示を行うようになっている。一方、メッセージ表示条件を満たさないときには、禁止操作情報において禁止操作となっているキー操作が入力された場合、制御手段６は、代替操作メッセージの表示を行わず、操作が禁止されていることを示す禁止マーク（図３参照）を表示させる制御を行う。
【００４４】
また、代替操作メッセージを表示する場合、画面の動きを一時停止させることが可能であるときには、画面の動きを一時停止させる。また、禁止操作情報において禁止操作となるキー操作が入力された場合であって、代替キー操作が見つからない場合には、メッセージ表示条件を満たすようになると、禁止マークの表示に換えて、入力されたキー操作が禁止された操作であることを示すメッセージを、文字を用いて表示する。
【００４５】
以下に補足的な説明を行うと、制御手段６は、リモコン８等にキー操作が入力された場合、入力されたキー操作が禁止操作となっていないときには、キー操作に対応するデータをキー入力用バッファ１１に格納する。そして後、キー入力用バッファ１１に格納されたデータに対応する動作を実行するための制御を行う。
【００４６】
図１は、上記した実施形態の主要動作を示すフローチャートである。必要に応じて同図を参照しつつ、実施形態の動作を説明する。
【００４７】
いま、ＤＶＤ１の再生状態にあるとする。この状態において、ユーザが、リモコン８のスキップキー（図示を省略）を操作したとする（ステップＳ１）。スキップキーの操作が、禁止操作情報において禁止操作となっていない場合、制御手段６は、スキップキーの操作を示すデータをキー入力用バッファ１１に格納した後（ステップＳ２，Ｓ１３）、キー入力用バッファ１１に格納されたデータに対応する動作を実行させるための制御を行う。このため、現在再生中のチャプタの次のチャプタの先頭から再生が開始される（ステップＳ１４）。
【００４８】
一方、スキップキーの操作が、禁止操作情報において禁止操作となっている場合、１０秒以内に、その他のキー操作が入力されることなく、スキップキーの操作が、３回以上、繰り返して入力されたかどうかを調べる。すなわち、メッセージ表示条件を満たすかどうかを調べる（ステップＳ３）。スキップキーの操作が上記したメッセージ表示条件を満たさない場合（例えば、１０秒以内では２回目の操作となる場合、等）では、制御手段６は、デコード手段５を制御することによって、禁止マーク（図３参照）を、再生画面に重畳表示させる（ステップＳ４，Ｓ１７）。
【００４９】
一方、メッセージ表示条件を満たす場合には、代替キー操作があるかどうかを調べる。ここで、代替キー操作について詳細に説明すると、再生状態におけるスキップキーの操作は、次のチャプタの先頭位置からの再生動作を求める操作である。このため、禁止操作情報において、停止キーの操作が禁止操作になっていないとすると、代替キー操作として、停止キーの操作と、チャプタの一覧を表示させる操作であるタイトルキーの操作とを行う場合には、スキップキーの操作が求める動作に連なる代替動作が得られることになる（チャプタの一覧から、現在再生中のチャプタの次のチャプタを選択して再生させると、等価的に、スキップキーの操作が受け付けられた場合と同等の動作が得られる）。
【００５０】
従って、停止キーの操作が禁止操作となっていない場合、代替キー操作は、停止キーの操作と、タイトルキーの操作との組み合わせにより実現されるため、動作は、ステップＳ５からステップＳ６と移行し、再生の一時停止が可能であるかどうかが調べられる。そして、再生の一時停止が禁止操作となっていない場合、制御手段６は、再生を一時停止させる（ステップＳ７）。そして、テレビ受像機１５に、代替キー操作を用いるかどうかをユーザに選択させるためのメッセージである代替操作メッセージを表示する（ステップＳ８）。
【００５１】
図４は、このときのテレビ受像機１５の画面を示しており、代替操作メッセージは、『チャプタの一覧から選ぶ』（２１３により示す）となっている。なお、このときでは、スキップキーの操作が禁止操作であることを示すメッセージが、画面において大きく文字表示される（２１１により示す）。また、代替キー操作を選ばない場合の選択肢である『このまま続ける』のメッセージ２１２も、併せて表示される。
【００５２】
上記した３種のメッセージ２１１〜２１３が表示されている状態において、カーソル（破線２１により示す）を代替操作メッセージ２１３に位置させ、決定キーを操作すると、代替キー操作を用いることが選択されたとして、制御手段６は、代替キー操作に対応するデータをキー入力用バッファ１１に格納する。すなわち、停止キーの操作に対応するデータと、タイトルキーの操作に対応するデータとをキー入力用バッファ１１に格納する（ステップＳ１０）。そして後、キー入力用バッファ１１に格納されたデータに対応する動作の制御に移行する（ステップＳ１４）。
【００５３】
このため、ステップＳ１４となったときには、制御手段６は、キー入力用バッファ１１に格納された停止キーの操作を示すデータに従い、停止状態に移行するための制御を行う。そして後、タイトルキーの操作を示すデータに従い、チャプタの一覧をサムネイル表示するための制御を行う。このため、テレビ受像機１５には、チャプタの一覧がサムネイル表示される。従って、サムネイル表示されたチャプタの一覧から、スキップキーを操作したときに再生されていたチャプタの次のチャプタにカーソルを移動させた後、決定キーを操作すると、スキップキーを操作したときに再生されていたチャプタの次のチャプタからの再生、すなわち、スキップキーの操作に該当する動作が開始されることになる。
【００５４】
なお、チャプタの一覧をサムネイル表示するとき、カーソルを、スキップキーを操作したときに再生されていたチャプタの次のチャプタに位置させて表示する場合では、カーソルを移動させることなく、決定キーを操作するのみで、スキップキーの操作に該当する動作を実行させることができるので、より便利となる。
【００５５】
一方、ステップＳ９において、カーソル２１が『このまま続ける』のメッセージ２１２に移動され、次いで決定キーが操作されたときには、代替キー操作が選択されなかったとして、制御手段６は、メッセージ２１１〜２１３の表示を停止するとともに、再生の一時停止を解除し、再生を再開させるための制御を行う（一時停止が禁止操作となっていて、メッセージ２１１〜２１３が重畳表示されたときにも、再生が継続されていた場合では、メッセージ２１１〜２１３の表示を停止するための制御のみが行われる）（ステップＳ１９）。
【００５６】
また、ステップＳ６において、一時停止が禁止となっているときには、動作は、ステップＳ６から、直ちにステップＳ８に移行する。従って、再生が継続された状態において、図４に示すメッセージ２１１〜２１３が、再生画面に重畳表示されることになる。
【００５７】
また、再生されている内容が、例えば、『部屋を明るくして見て下さい』等の警告を表示する内容となっていることから、スキップキーの操作ばかりでなく、停止キーの操作も禁止操作となっている場合では、代替キー操作を構成することが困難となる。従って、このときでは、代替キー操作がないと判別され、動作は、ステップＳ５からステップＳ１８に移行する。そして、このときでは、テレビ受像機１５には、入力されたキー操作が、禁止された操作であることを示すメッセージのみが、文字表示される。すなわち、図４に示したメッセージのうち、『この操作は禁止されています』のメッセージ２１１の表示のみが行われる。
【００５８】
以上で、再生中にスキップキーが操作された場合の動作についての説明を終了し、以下に、再生中に、次のタイトルの再生を指示するキー操作が入力された場合の動作について説明する。
【００５９】
次のタイトルの再生を指示するキー操作（タイトルサーチのキー操作）が禁止操作でないときには、現在再生中のタイトルの次のタイトルを再生する制御が行われる（ステップＳ１，Ｓ２，Ｓ１３，Ｓ１４）。一方、タイトルサーチのキー操作が禁止操作となっているときでは、メッセージ表示条件を満たさない場合には、図３に示す禁止マークが表示される（ステップＳ１〜Ｓ４，Ｓ１７）。また、禁止操作情報において禁止された操作が極めて多いため、代替キー操作が見つからない場合には、メッセージ表示条件を満たすようになると、入力されたキー操作が、禁止された操作であることを示すメッセージ（例えば、図５の２２１により示す）のみが、テレビ受像機１５の画面に文字表示される（ステップＳ１〜Ｓ５，Ｓ１８）。
【００６０】
一方、代替キー操作があるときには、図５に示すメッセージが表示される。すなわち、入力されたキー操作が、禁止された操作であることを示すメッセージ２２１、および、代替キー操作を選択しないことを示すメッセージ２２２が表示される。また、第１の代替キー操作を示す代替操作メッセージ２２３、および、第２の代替キー操作を示す代替操作メッセージ２２４が表示される。
【００６１】
上記した２つの代替操作メッセージのうち、『タイトルの一覧から選ぶ』の代替操作メッセージ２２３により示される代替キー操作は、停止キーを操作することによって再生を停止させた後、タイトルの一覧を表示させるためのキー操作を行うことにより、タイトルの一覧を表示させるキー操作となっている。このため、『タイトルの一覧から選ぶ』を選択する場合には、表示されたタイトルの一覧から、現在再生中のタイトルの次のタイトルをカーソルでもって選択した後、決定キーの操作を行うのみで、タイトルサーチのキー操作が求める動作を等価的に行わせることができる。
【００６２】
従って、『タイトルの一覧から選ぶ』をユーザが選択した場合には、ステップＳ１０においては、停止キーのキー操作に対応するデータと、タイトルの一覧を表示させるためのキー操作（例えば、メニューキーの操作）に対応するデータとが、キー入力用バッファ１１に格納されることになる。
【００６３】
一方、『目標タイトルの先頭から再生』の代替操作メッセージ２２４により示される代替キー操作は、タイムサーチのキー操作（図６に示したように、再生位置を示す時刻情報を表示させるキー操作）、現在再生中のタイトル（図７のタイトル１により示す）の次のタイトル（タイトル２）の先頭位置を示す時刻Ｔ１１を入力するキー操作、および、タイムサーチの実行を指示するキー操作から構成される（タイトル２の先頭位置の時間情報については、ＤＶＤ１から得ることができる）。
【００６４】
従って、『目標タイトルの先頭から再生』をユーザが選んだ場合には、ステップＳ１０においては、時刻情報を表示させるためのキー操作を示すデータ、タイトル２の先頭位置の時刻Ｔ１１を入力するためのキー操作を示すデータ（カーソルを時間入力２５１に位置させるためのキー操作を示すデータ、時間を入力するためのキー操作を示すデータ、カーソルを分入力２５２に位置させるためのキー操作を示すデータ、分を入力するためのキー操作を示すデータ、カーソルを秒入力２５３に位置させるためのキー操作を示すデータ、秒を入力するためのキー操作を示すデータ）、時間情報により示される位置から再生を開始させるためのキー操作を示すデータが、順次、キー入力用バッファ１１に格納される。そして後、ステップＳ１４の動作が実行される。このため、『目標タイトルの先頭から再生』をユーザが選んだ場合には、タイトル２の先頭から再生が開始されることになる。
【００６５】
上記した動作は、タイトル２において、タイムサーチによる再生が許可された場合の動作となっている。しかし、タイトル１においてはタイムサーチが許可されているが、タイトル２においてタイムサーチが禁止操作となっている場合がある。このような場合の動作について、以下に説明する。
【００６６】
タイトル２においてタイムサーチが禁止操作となっている場合、ステップＳ８において表示される代替操作メッセージは、図８に示すようになる。すなわち、入力されたキー操作が、禁止された操作であることを示すメッセージ２２１、代替キー操作を選択しないときに選ぶメッセージ２２２、第１の代替キー操作を示す代替操作メッセージ２２３が表示される（これらのメッセージ２２１〜２２３は、図５における表示と同じことを意味している）。また、第３の代替キー操作を示す代替操作メッセージ２３４が表示される。
【００６７】
『目標タイトルの直前から再生』により示される第３の代替キー操作は、タイムサーチのキー操作（図６に示したように、再生位置を示す時刻情報を表示させるキー操作）、現在再生中のタイトル（タイトル１）の最終位置より少し前の位置（図７の時刻Ｔ１２により示す）を示す時刻を入力するキー操作、および、タイムサーチの実行を指示するキー操作から構成される（タイトル１の最終位置の時間情報については、ＤＶＤ１から得ることができる）。
【００６８】
従って、『目標タイトルの直前から再生』をユーザが選んだ場合では、ステップＳ１０においては、時刻情報を表示させるためのキー操作を示すデータ、タイトル１のＴ１２により示す時間情報を入力するためのキー操作を示すデータ、時間情報により示される位置から再生を開始させるためのキー操作を示すデータが、順次、キー入力用バッファ１１に格納される。そして後、ステップＳ１４の動作が実行される。
【００６９】
このため、時刻Ｔ１２をタイトル１の終了の３０秒前に設定する場合には、『目標タイトルの直前から再生』を選択した後、約３０秒が経過したときに、再生させたかったタイトル２の再生が開始されることになる。また、時刻Ｔ１２をタイトル１の終了の１０秒前に設定する場合には、『目標タイトルの直前から再生』を選択した後、約１０秒が経過したときに、再生させたかったタイトル２の再生が開始されることになる。
【実施例２】
【００７０】
以下に第２の実施形態について説明するが、第２の実施形態の電気的構成は、ブロック線図として示すときには、図２に示す構成と同一となり、制御手段６の構成のみが異なる。このため、第２の実施形態の構成については、制御手段６についてのみ説明する。
【００７１】
制御手段６は、マイクロコンピュータを主要部として構成されており、ＤＶＤ再生装置としての主要動作を制御する。すなわち、リモコン８に入力されたユーザのキー操作が、例えば、再生を示すときには、ＤＶＤ１を再生して得られた映像信号がテレビ受像機１５において表示されるように、信号処理手段４とデコード手段５との動作を制御する。また、ＤＶＤ１の再生中において、リモコン８のスキップキー（図示を省略）が操作されたときには、スキップキーの操作が禁止操作でない場合、再生位置を、現在再生中のチャプタから、次のチャプタの先頭位置に移動させる（次のチャプタの先頭から再生を行わせるための制御を行う）。
【００７２】
また、制御手段６は、信号処理手段４からユーザ操作ビット群が出力される毎に、どのキー操作が禁止操作となっているのかを示す情報である禁止操作情報を取り出して内部に記憶する。そして、ユーザがリモコン８等にキー操作を入力した場合、入力されたキー操作が、禁止操作情報において禁止操作となるときには、代替キー操作があるかどうかを調べる。そして、代替キー操作があることが判明した場合、代替キー操作の入力方法である代替キー操作方法をテレビ受像機１５に表示する。そして後、ユーザが入力したキー操作に対応する動作を実行するための制御を行う。
【００７３】
なお、代替キー操作方法については、禁止操作情報において禁止操作となるキー操作のうちの任意の１つのキー操作が、その他のキー操作を挟むことなく、予め設定された時間内（例えば、１０秒以内）に、所定回数（例えば、３回）を超えて、繰り返し入力されたとき（この条件を、以下では、方法表示条件と称する）、表示を行うようになっている。一方、方法表示条件を満たさないときには、禁止操作情報において禁止操作となっているキー操作が入力された場合、制御手段６は、代替キー操作方法の表示を行わず、操作が禁止されていることを示す禁止マーク（図３参照）を表示する。
【００７４】
また、代替キー操作方法を表示する場合、画面の動きを一時停止させることが可能であるときには、画面の動きを一時停止させる。また、禁止操作情報において禁止操作となるキー操作が入力された場合であって、代替キー操作が見つからない場合には、方法表示条件を満たすようになると、禁止マークの表示に換えて、入力されたキー操作が禁止された操作であることを示すメッセージを、文字を用いて表示する。
【００７５】
図９は、第２の実施形態の主要動作を示すフローチャートであり、図１に示すフローチャートと同一の動作となるステップについては、図１における符号と同一符号を付与し、説明を省略する。
【００７６】
いま、ＤＶＤ１の再生状態にあるとする。この状態において、ユーザが、リモコン８のスキップキー（図示を省略）を操作したとする（ステップＳ１）。スキップキーの操作が、禁止操作情報において禁止操作となっていない場合、制御手段６は、スキップキーの操作を示すデータをキー入力用バッファ１１に格納した後、キー入力用バッファ１１に格納されたデータに対応する動作の制御を行う。このため、現在再生中のチャプタの次のチャプタの先頭から再生が開始される（ステップＳ２，Ｓ２４）。
【００７７】
一方、スキップキーの操作が、禁止操作情報において禁止操作となっている場合、１０秒以内に、その他のキー操作が入力されることなく、スキップキーの操作が、３回以上、繰り返して入力されたかどうかを調べる。すなわち、方法表示条件を満たすかどうかを調べる（ステップＳ３）。
【００７８】
方法表示条件を満たす場合、代替キー操作があるかどうかを調べる。停止キーの操作が禁止操作となっていない場合には、代替キー操作があるため、動作は、ステップＳ５からステップＳ６と移行し、再生の一時停止が可能であるかどうかが調べられる。そして、再生の一時停止が禁止操作となっていない場合、制御手段６は、再生を一時停止させる（ステップＳ７）。そして、テレビ受像機１５に、代替キー操作方法を表示する（ステップＳ２１）。
【００７９】
図１０は、このときのテレビ受像機１５の画面を示しており、スキップキーの操作が禁止操作であることを示すメッセージが、画面において大きく文字表示される（３１１により示す）。また、代わりのキー操作の方法があることを示すメッセージ３１２が表示されるとともに、代わりのキー操作の方法である代替キー操作方法が具体的に表示される（３１３により示す）。
【００８０】
上記した表示を行っている状態において、キー操作が入力されたときには、一時停止状態が解除された後（ステップＳ２２，Ｓ２３）、入力されたキー操作に対応する動作の制御が行わせる。このため、ユーザが、表示された代替キー操作方法に従って、停止キーを操作した後、タイトルキーを操作すると、テレビ受像機１５には、チャプタの一覧が表示される。従って、ユーザは、表示されたチャプタの一覧から、再生させたいチャプタ（スキップキーを操作して再生させようとしたチャプタ）を選択して再生させることができる。
【００８１】
図１１は、再生中にタイトルサーチのキー操作が入力されたとき、タイトルサーチのキー操作が禁止操作となっている場合に、テレビ受像機１５に表示される画面（ステップＳ２１により表示される画面）を示している。従って、ユーザは、この表示に従って、停止キーを操作した後、メニューキーを操作すると、テレビ受像機１５には、タイトルの一覧が表示される。このため、ユーザは、表示されたタイトルの一覧から、再生させたいタイトル（タイトルサーチを操作することによって再生させようとしたタイトル）を選択して再生させることができる。
【００８２】
以下に補足的な説明を行うと、代替キー操作については、キー操作が入力されたときの装置本体の動作の種類と、入力されたキー操作の種類とを検索の項目として、予め、データベースの形式で格納した構成とすることができる。そして、このデータベースに、該当する検索項目に対応した代替キー操作が格納されている場合には、代替キー操作があると判別するとともに、検索された代替キー操作を制御に用いる構成とする場合には、代替キー操作をどのような操作方法とするかを決めるソフトウエアの構成を簡単化することができる。
【００８３】
なお、本発明は上記実施形態に限定されず、記録媒体については、ＤＶＤとした場合について説明したが、その他の記録媒体として、例えば、記録媒体をハードディスクドライブとする場合にも、同様に適用することができる。
【図面の簡単な説明】
【００８４】
【図１】本発明に係る映像信号再生装置の第１の実施形態であるＤＶＤ再生装置の主要動作を示すフローチャートである。
【図２】実施形態の電気的構成を示すブロック線図である。
【図３】禁止マークを示す説明図である。
【図４】再生途中において、禁止操作であるスキップキーを操作したときに表示される代替操作メッセージを示す説明図である。
【図５】再生途中において、禁止操作であるタイトルサーチのキー操作を行ったときに表示される代替操作メッセージを示す説明図である。
【図６】タイムサーチ時の画面表示を示す説明図である。
【図７】タイムサーチされる時間位置を示す説明図である。
【図８】再生途中において、禁止操作であるタイトルサーチのキー操作を行ったときに表示される代替操作メッセージを示す説明図である。
【図９】第２の実施形態の主要動作を示すフローチャートである。
【図１０】再生途中において、禁止操作であるスキップキーを操作したときに表示される代替キー操作方法を示す説明図である。
【図１１】再生途中において、禁止操作であるタイトルサーチのキー操作を行ったときに表示される代替キー操作方法を示す説明図である。
【符号の説明】
【００８５】
１  ＤＶＤ（記録媒体）
６  制御手段
１１  キー入力用バッファ
２３  カーソル
２１３，２２３，２２４，２３４  代替操作メッセージ
３１３  代替キー操作方法
Ｓ８  代替操作メッセージを表示するステップ
Ｓ２１  代替キー操作方法を表示するステップ
【図１】
2005327346.tif 000003
【図２】
2005327346.tif 000004
【図３】
2005327346.tif 000005
【図４】
2005327346.tif 000006
【図５】
2005327346.tif 000007
【図６】
2005327346.tif 000008
【図７】
2005327346.tif 000009
【図８】
2005327346.tif 000010
【図９】
2005327346.tif 000011
【図１０】
2005327346.tif 000012
【図１１】
2005327346.tif 000013